(57)【要約】【課題】操作手段の操作時に発生する荷重が直接的に発電用の増速手段等に加わることを防止すること。【解決手段】操作手段の操作力によって回転する押圧体から発電機の回転軸の回転数を増大させる複数個の歯車を含む増速手段までの間に緩衝装置を備える扉用発電機であって、緩衝装置は、押圧体によって後退動する摺動体と、この摺動体の後退動に対応して圧縮する第１弾性体と、この第１弾性体の弾性力が作用するように摺動体に併設されたラック部材と、摺動体が所定位置へと後退するまで該ラック部材を係止するロック手段と、摺動体及びラック部材を初期位置へ戻す第２弾性体を備え、摺動体が前記所定位置へと後退動するのに対応して第１弾性体が圧縮し、摺動体が後退動している最中に初期位置に残されているラック部材は、摺動体を介してロック手段からのロックが解かれると同時に第１弾性体の弾性エネルギーが解放されることにより後退動を開始し、該ラック部材の起動により前記増速手段が作動する扉用発電機。【選択図】図７
2016166474.tif 000002
【特許請求の範囲】
【請求項１】
操作手段の操作力によって回転する押圧体から発電機の回転軸の回転数を増大させる複数個の歯車を含む増速手段までの間に緩衝装置を備える扉用発電機であって、
前記緩衝装置は、前記押圧体によって後退動する摺動体と、この摺動体の後退動に対応して圧縮する第１弾性体と、この第１弾性体の弾性力が作用するように前記摺動体に併設されたラック部材と、前記摺動体が所定位置へと後退するまで該ラック部材を係止するロック手段と、前記摺動体及びラック部材を初期位置へ戻す第２弾性体を備え、前記摺動体が前記所定位置へと後退動するのに対応して前記第１弾性体が圧縮し、前記摺動体が後退動している最中に初期位置に残されている前記ラック部材は、前記摺動体を介して前記ロック手段からのロックが解かれると同時に前記第１弾性体の弾性エネルギーが解放されることにより後退動を開始し、該ラック部材の起動により前記増速手段が作動する扉用発電機。
【請求項２】
請求項１に於いて、第１弾性体及び第２弾性体は、共に圧縮コイルバネであることを特徴とする扉用発電機。
【請求項３】
請求項１に於いて、ロック手段を構成するロック片のラック部材に対する係止は、後退動中の摺動体の突起部分又は磁性体のいずれかに起因して解かれることを特徴とする扉用発電機。
【請求項４】
請求項１に於いて、押圧体は発電専用の操作手段によって回転するハンドルカムであり、該ハンドルカムの駆動腕は、摺動体の嵌合孔とラック部材の案内長孔を嵌入する一つの駆動ピンを押圧することを特徴とする扉用発電機。
【請求項５】
請求項１に於いて、操作手段は、発電用のみならず、ラッチの後退動を許容するハンドルであり、一方、押圧体は、前記操作手段によって回転するハンドルカムであり、該ハンドルカムの駆動腕は、摺動体の嵌合孔とラック部材の案内長孔を嵌入する一つの駆動ピンを押圧することを特徴とする扉用発電機。
【請求項６】
請求項１に於いて、第２弾性体は、摺動体の後端部に一体的に設けられた支持棒に巻装された圧縮コイルバネであり、前記支持棒の一端部は、ハウジングの垂直壁に形成した支持孔に摺動自在に支持されていることを特徴とする扉用発電機。
【発明の詳細な説明】
【技術分野】
【０００１】
本発明は、操作手段（例えばラッチ後退動用のハンドル、発電機専用ハンドル等）の軸と発電機の軸とを直接的に連結せず、前記操作手段の軸から発電機の軸までの間に、例えば増速歯車群が介在する扉用発電機に関する。
【背景技術】
【０００２】
特許文献１の第１図、第２図には、自己の内部に発電機能（発電機）を有する電気錠が記載されている。この電気錠は、筺体１の略中央部の外部にラッチボルト２０を後退動させるための操作部材（ノブ）４を回転自在に設け、前記操作部材４のノブ軸３を回転すると、該ノブ軸３に発電軸が直結した状態で前記筺体１に内装された発電機２が発電する（符号は特許文献１に記載のもの）。前記操作部材４は、ノブ軸３に固定的に設けられた歯車５が長板状の摺動バー９に設けたラック部１２に噛合すると、操作部材４の操作力により前記長板状摺動バー９が後退動し、該動作により、該長板状摺動バー９の先端部に凸部と凹所の係合手段を介して係合するラッチボルト２０が筺体１内へと後退動する。このように、ラッチボルト２０を備えた自己発電機能（発電機）を有する電気錠は公知である。
【０００３】
ところで、上記特許文献１の実施形態は、操作部材４のノブ軸３と発電機２の発電軸とが直結されているため、操作部材４を回転するために大きなトルクが必要である、発電するために操作部材４を数回転させる必要がある等の当業者の認識の基に、特許文献２が出現している。例えば特許文献２の図３は、ラッチボルト６を後退動させるためのノブ２のノブ軸４に設けられた楕円形状のカム４がベース１６を、その軸１５を支点にして押下げると（ベース１６を回転させると）、ベース１６に配設した増速歯車群を構成する係合歯車１９ａが前記操作部材４の大歯車５ｂから離れ、前記ノブ４とは別個に設けられた発電専用摘み２６（特許文献２の図２参照）を回転させると、摘み２６の軸２４に設けられ歯車２５を介して機械的エネルギーを弾性エネルギーとして弾性部材（いわばオルゴールのゼンマイバネ）１８、弾性部材を巻装するプーリ２０側に蓄積し、然る後に、機械的エネルギーが係止手段を解くことにより解放されると、それが前記増速歯車群を介して発電機２１の発電軸に伝達され、発電が開始される（符号は特許文献２に記載のもの）。
【０００４】
特許文献２は発電のために「増速歯車群」を用いている点で優れているものの、操作手段の操作時に発生する荷重が直接的に発電用の増速手段に加わるので、増速手段を構成する歯車を損傷する恐れがある、構成が複雑である、発電機の軸が起動する際に必要なトルクが負荷になる等の問題点がある。なお特許文献３は出願人が貴庁に提案したので、例えば扉の開閉力を利用して建具に自己発電機能（発電機）を持たせること、発電のために増速手段を設けること、増速手段の最終段歯車と発電機の回転軸との間に一方向クラッチ設けること等が記載されている。そこで、このような問題点を解決するために本発明が出現した。
【先行技術文献】
【特許文献】
【０００５】
【特許文献１】特開平３−２０８９７２号公報
【特許文献２】特開２０００−２０４８０６号公報
【特許文献３】特開２００９−６２６７３号公報
【発明の概要】
【発明が解決しようとする課題】
【０００６】
本願発明の第１の目的は、操作手段の操作時に発生する急激な操作負荷（衝撃荷重）が直接的に発電用の増速手段等に加わることを防止することである。例えば発電用の増速手段が大小の増速歯車群で構成されている場合には、操作手段（例えばラッチ後退動用のハンドル、発電機専用ハンドル等）に荷重が直接的に加わると、前記増速歯車群の初段の歯車が、損傷する恐れがあるので、このような懸念を踏まえ、操作手段からの荷重が増速歯車群に直接掛かる前に緩衝装置によって緩和し、これにより、発電機の軸が起動する際に必要なトルクが負荷にならないようにすることである。付言すると、操作手段の操作力が通常の操作力よりも強い場合（例えば急にハンドルを勢い良く回すとき）に発生する衝撃荷重が、タイミングを多少遅らせる遅延状態で、かつ間接的に緩衝装置を構成するラック部材に伝わるようにすることである。本願発明の第２の目的は、望ましくは、同一種類の弾性体を複数個配設し、タイミングラグ用のロック手段と第１弾性体の圧縮を利用して摺動体を一定距離移動させ、その後に、前記ロック手段のロックを解いて前記圧縮した第１弾性体の解放エネルギーを利用してラック部材を始動させることにより、本願発明の第１の目的を達成し、一方、第２弾性体の復帰力を利用して摺動体及びラック部材を初期位置へと戻すことである。その際、第１弾性体の復帰力により、操作部材に押される押圧体を確実に初期位置へと戻すことである。本願発明の第３の目的は、一つの駆動ピンを利用してラック部材を摺動体に追動させることである。その他の目的は、従属項を独立請求項に限定するとこによって特定され得る。
【課題を解決するための手段】
【０００７】
本発明の扉用発電機は、操作手段の操作力によって回転する押圧体から発電機の回転軸の回転数を増大させる複数個の歯車を含む増速手段までの間に緩衝装置を備える扉用発電機であって、前記緩衝装置は、前記押圧体によって後退動する摺動体と、この摺動体の後退動に対応して圧縮する第１弾性体と、この第１弾性体の弾性力が作用するように前記摺動体に併設されたラック部材と、前記摺動体が所定位置へと後退するまで該ラック部材を係止するロック手段と、前記摺動体及びラック部材を初期位置へ戻す第２弾性体を備え、前記摺動体が前記所定位置へと後退動するのに対応して前記第１弾性体が圧縮し、前記摺動体が後退動している最中に初期位置に残されている前記ラック部材は、前記摺動体を介して前記ロック手段からのロックが解かれると同時に前記第１弾性体の弾性エネルギーが解放されることにより後退動を開始し、該ラック部材の起動により前記増速手段が作動することを特徴とする（本願発明の主要部）。
【０００８】
ここで「扉用発電機」の概念には、本願発明の主要部のみを備えた実施形態、本願発明の主要部にラッチ錠（戸先側へ突出するように付勢されたラッチを有するもの）を加味した実施形態、本願発明の主要部に機械的な錠前（シリンダ装置及びサムターン装置を備え、これらの装置をそれぞれ手動操作することによって進退動するデッドボルトを有するもの）を加味した実施形態、電気錠（デッドボルトが電動で進退動するもの）を加味した実施形態がそれぞれ含まれる。そして、扉用発電機が電気錠である場合には、例えば交流発電機の出力電力は、整流器を介して蓄電器（２次電池）に充電され、該蓄電器の電気は、認証手段、電気錠の制御部、駆動源（例えば駆動モータ）、ドア開閉装置用の動力源等として利用される。
【発明の効果】
【０００９】
（ａ）請求項１に記載の発明は、特許文献２の実施形態とは相違し、操作手段の操作時に発生する荷重が直接的に発電用の複数個の歯車を含む増速手段に加わることを防止することができる。特に、発電用の増速手段が大小の増速歯車群で構成されている場合には、操作手段（例えばラッチ後退動用のハンドル、発電機専用ハンドル等）に荷重が直接的に加わると、前記増速歯車群の初段の歯車が、損傷する恐れがあるが、操作手段からの荷重が増速歯車群に直接掛かる前に緩衝装置によって緩和し、これにより、発電機のモータ軸が起動する際に必要なトルクが負荷にならないようにすることができる。
（ｂ）請求項２に記載の発明は、第１弾性体及び第２弾性体は、共に同種類の圧縮コイルバネ（押しバネ）なので、弾性体の選定が容易であると共に、安価に製作することができる。
（ｃ）請求項３に記載の発明は、ロック手段のシンプル化を図ることができると共に、該ロック手段を適宜箇所に配設して、ラック部材に対してタイミングラグ機能を十分に付与させることができる。
（ｄ）請求項４に記載の発明は、押圧体は発電専用の操作手段によって回転するハンドルカムであり、該ハンドルカムの駆動腕は、摺動体の嵌合孔とラック部材の案内長孔を嵌入する一つの駆動ピンを押圧するので、ラッチボルトを後退動させるための負荷が掛からないと共に、合理的構成（部品点数が少ない構成）により、ラック部材を摺動体に追動させることができる。
（ｅ）請求項５に記載の発明は、操作手段は、発電用のみならず、ラッチの後退動を許容するハンドルであり、一方、押圧体は、前記操作手段によって回転するハンドルカムであり、該ハンドルカムの駆動腕は、摺動体の嵌合孔とラック部材の案内長孔を嵌入する一つの駆動ピンを押圧するので、扉用発電機の操作手段に複数の機能を持たせることができると共に、前記（ｄ）と同様の効果を得ることができる。
（ｆ）請求項６に記載の発明は、第２弾性体は、摺動体の後端部に一体的に設けられた支持棒に巻装された圧縮コイルバネであり、前記支持棒の一端部は、ハウジングの垂直壁に形成した支持孔に摺動自在に支持されているので、第２弾性体を確実にガイドさせるとこにより、摺動体を安定した状態で進退動させることができる。
【図面の簡単な説明】
【００１０】
図１乃至図９は本発明の第１実施形態を示す各説明図、図１０及び図１１は本発明の第２実施形態を示す各説明図。
【図１】初期位置の概略説明図。
【図２】ラック部材を残して、摺動体が後退動した状態（ラック部材がロック手段にまだ係止されている状態）の概略説明図。
【図３】平面視からの要部の概略断面説明図。
【図４】要部を分解した概略説明図。
【図５】要部（ロック手段）の説明図。
【図６】要部（増速手段）の説明図。
【図７】図２に於いて、摺動体がさらに矢印方向に後退動してラッチ部材に対するロック手段の係止が外れる位置を示す概略説明図（増速手段の作動位置、発電開始位置）。
【図８】ラック部材が仮想線位置から矢印方向に移動し、発電をしたことを示す概略説明図。
【図９】摺動体１２とラック部材の移動状態を示すフローチャートを概念的に示す説明図。
【図１０】第２実施形態の操作手段が、例えばラッチ後退動用のハンドルである旨の概略説明図（ラッチ突出状態）。
【図１１】図８と同様の概略説明図。
【発明を実施するための最良の形態】
【００１１】
（１）主要部の概要
図１乃至図９は、本発明の第１実施形態の扉用発電機Ｘである。扉用発電機Ｘは、特許文献２と同様に「歯車を含む増速手段」を備えているものの、該特許文献２と異なる点は、操作手段の操作力によって回転する押圧体から発電機の回転軸の回転数を増大させる大小の複数個の歯車を含む増速手段までの間に緩衝装置を備えることである。
【００１２】
図１は初期位置の概略説明図、図２はラック部材を残して摺動体が後退動した状態（ロック手段に対する係止外れ開始位置）の概略説明図である。これらの図を参照にして、単なるケース、錠ケース等のハウジング１を介して扉に内装或いは面付けされた各部材の位置関係を説明する。なお、図１を基準にして先端部（図面左側）、後端部（図面右側）、下部（摺動体又はラック部材を基準にして図面下側）、上部（同様に図面上側）等の用語を用いる。
【００１３】
まず、単なるケース、錠ケース、サムターン用ケース、取付け座等のハウジング１の左側垂直壁１ａには、正面視略Ｌ字形状の下部受け部材２と、該下部受け部材２の垂直部分に対して所要の間隙３を介して縦長略直方体の上部受け部材４が固定的に配設されている。一方、ハウジング１の右側垂直壁１ｂの略中央部には支持孔５が形成されている。この右側垂直壁１ｂから多少離間してロック手段６を備えたロック箱７が配設されている。ロック箱７はやや横長形状の箱体であるが、前述した下部受け部材２の水平部分と所定間隔８を有して対向する一側壁（図面左側）の略中央部から下端部にかけて正面視「逆く」の字形状に凹ませて空間を設けている。そして、ロック箱７の一側壁の傾斜面、下部受け部材２の水平部分の一端面、下部受け部材２の垂直部分の上端面及び上部受け部材４の一側面（図面右側）の下部には、それぞれ消音防止用の弾性体（例えば板状ゴム）９が貼り付けられている。
【００１４】
次に、下部受け部材２とロック箱７の間に位置しているのが押圧体１１である。この押圧体１１は、サムーン、ハンドルカム等であり、実施形態のハンドルカム１１は、例えば中心部に仮想線で示す操作手段（例えばレバーハンドル）１０の軸部に設けられた角軸が嵌合する角軸穴１１ａを有する外周円形状の軸嵌合部１１ｂと、該軸嵌合部１１ｂの外周面から半径外方向に延びる第１・第２の腕部１１ｃ、１１ｄとから成り、前記第１腕部（駆動腕）１１ｃの上端部は長尺状摺動体１２の内部或いは切欠内面側へと入り込み、前記摺動体１２の略真円状嵌合孔３１とラック部材１３の案内長孔３２を嵌入する一つの駆動ピン１４を押圧可能である。
【００１５】
前記摺動体１２及びラック部材１３の具体的構成は後述するが、両部材１２，１３は、正面視略左横倒れＴ字形状に形成された杆状体であり、これらの杆状体はハウジング１の略中央部の上下左右に固定的に設けられた合計４個のガイド部材（軸とローラから成る）１５に水平状態に支持されている。例えば図１を基準にすると、手前に見えるのが横倒れＴ字形状の摺動体１２で、この摺動体１２の裏側（向う側）に併設状態に配設されているのが横倒れＴ字形状のラック部材１３である。
【００１６】
次に、摺動体１２の後退動に対応して圧縮する第１弾性体２１は、前述した駆動ピン１４とラック部材１３の後端部の突起状バネ受け部分との間に配設されている。この第１弾性体２１は、摺動体１２の後退動による機械的エネルギーを弾性エネルギーとして蓄積し、所定の条件（例えばラック部材１３がロック手段６を構成するロック片からの解放すること）を満たすと、その復帰力により、ラック部材１３を起動させる。
【００１７】
摺動体１２の後端とハウジング１の右垂直壁１ｂの間に配設された第２弾性体２２は、前記摺動体１２の後端部に一体的に設けられた水平の支持棒２３に巻装された圧縮コイルバネであり、前記支持棒の一端部（後端部）は、前記垂直壁１ｂに形成した貫通状支持孔５に摺動自在に支持されている。
【００１８】
次に、ラック部材１３の上面にはラック部１３ｃが設けられ、該ラック部材１３の上部側に大小の複数個の歯車を含む増速手段２４が配設されている。そして、２５はハウジング１の上部に固定された空気孔を有する支持箱で、この支持箱２５には、例えば分布巻ステータ、集中巻ステータ、永久磁石ステータを備えた小型の発電機２６が設けられ、該発電機２６の回転軸２６ａには、増速手段２４の最終段歯車２４ｃが設けられている。なお、増速手段２４は、例えば図６で示すように、ラック部材１３の上部側に設けられ、初段の大歯車２４ａ、中段歯車２４ｂ及び最終段歯車２４ｃがそれぞれ列状態に噛合する（増速手段２４の仮想線で示した歯車支持箱、各歯車の具体的な説明は割愛する）。
【００１９】
（２）  主たる部材や要部の具体的構成
図３は平面視からの要部（摺動体１２、ラック部材１３、駆動ピン１４、第１・第２弾性体２１、２２等）の概略断面説明図、図４は要部を分解した概略説明図、図５は要部（ロック手段）の説明図である。これらの図を参照にして、主たる部材や要部の具体的構成を説明する。
【００２０】
これらの図に於いて、長尺状の摺動体１２は、例えば図４で示すように、垂直部分１２ａと、この垂直部分１２ａの略中央部に直交する横方向の長杆部分１２ｂとから成り、前記長杆部分１２ｂの向う側の一側面は水平方向に所要量切欠されている。また前記長杆部分１２ｂの略中央部には略真円状嵌合孔３１が設けられている。さらに、実施形態では、前記長杆部分１２ｂの後端部寄りの下面には、下方向に突出する突起１２ｃが設けられている。
【００２１】
一方、長尺状のラック部材１３も、前記摺動体１２と同様に、垂直部分１３ａと、この垂直部分１３ａの略中央部に直交する横方向の長杆部分１３ｂとから成り、前記長杆部分１３ｂの上面には所定量のラック部１３ｃが設けられている。さらに、前記長杆部分１３ｂの略中央部には水平方向に案内長孔３２が設けられていると共に、該長杆部分１３ｂの後端部の摺動体１２と対向する側面には、第１弾性体２１用の突起状バネ受け部分１３ｄが設けられている。摺動体１２の前記略真円状嵌合孔３１とラック部材１３の前記案内長孔３２をそれぞれ嵌入する一つの駆動ピン１４は、例えば第１嵌合部１４ａと、この第１嵌合部１４ａに連続する板状受け部１４ｂと、該板状受け部１４ｂに連続する第２嵌合部１４ｃとを有する水平杆であり、図３で示すように前記第１嵌合部１４ａは摺動体１２の略真円状嵌合孔３１に嵌入し、一方、前記第２嵌合部１４ｃはラック部材１３の案内長孔３２に嵌入し、さらに前記板状受け部１４ｂの前面は前述した押圧体１１の第１腕部（駆動腕）１１ｃの上端部が当たり、その後面は第１弾性体２１の先端部を受ける。したがって、前記第１弾性体２１は一つの駆動ピン１４の板状受け部１４ｂとラック部材１３の突起状バネ受け部分１３ｄの間に配設されている。
【００２２】
ロック手段６は、図５で示すように、付勢手段としてのロックバネ６ａと、該ロックバネ６ａによりロック方向（実施形態では上方方向）に付勢される縦長のロック片６ｂとから成り、前記ロック片６ｂが初期位置から一定距離まで前記付勢手段６ａの付勢力より、常にラック部材１３の被係合部１３ｅを係止し、該係止状態は、後退動中の摺動体１２の突起部分１２ｃが前記ロック片６ｂを前記付勢手段６ａの付勢力に抗して所定量押し下げることにより解かれる。付言すると、実施形態のロック片６ｂは上端部に二段式の係合部分があり、その一つは摺動体１２の突起部分１２ｃを受ける傾斜状第１係合部３５であり、他の一つは前記傾斜状第１係合部３５の横に連設し、かつ該傾斜状第１係合部よりも高い指先状第２係合部３６である。前記指先状第２係合部３６は、第１弾性体２１の弾性エネルギーが解放されるまでラック部材１３を初期位置に留める抑制機能の役割を果たす。
【００２３】
（４）作用
図７は、図２に於いて摺動体１２がさらに後退動してラッチ部材１３に対するロック手段６の係止が外れる位置を示す概略説明図（増速手段の作動位置、発電開始位置）である。また図８はラック部材が仮想線位置から矢印方向に移動し、発電をしたことを示す概略説明図（なお、操作部材から手を離すと、戻しバネとしての第２弾性体２２の復帰力が摺動体１２に作用し始める）。図９はフローチャートを概念的に示す説明図である。
ここで図９を参照にして作用を簡単に説明する。図９の（ａ）は、摺動体１２の後端面が第２弾性体２２に押されて発電終了位置から初期位置に戻ったことを示す概念的な説明図である。この時、ラッチ部材１３は摺動体１２を介して初期位置に戻る。ラッチ部材１３が初期位置に戻ると、該ラッチ部材１３はロック手段６のロック片６ｂの指先状第２係合部３６によって係止される。
【００２４】
図９の（ｂ）は摺動体１２が初期位置から第１弾性体２１の弾性力に抗して矢印Ａ方向に後退動し始めたことを示す概念的な説明図である。この時、ラッチ部材１３がロック手段６のロックにより初期位置に置き去りにされているので、第１弾性体２１が徐々に収縮し始める。また第２弾性体２２も収縮し始める。したがって、この図９の（ｂ）は図２に相当するものである。
【００２５】
図９の（ｃ）は図７に相当するもので、ラッチ部材１３に対するロック手段６の係止が外れる位置まで摺動体１２がさらに後退動したことを示す概念的な説明図である。この時、第１弾性体２１は、望ましくは最大限に圧縮し、摺動体１２の後退動による機械的エネルギーを弾性エネルギーとして蓄積する。また第２弾性体２２もさらに収縮する。
【００２６】
図９の（ｄ）は増速手段２４が作動し、発電機２６が発電を開始する状態を示す概念的な説明図である。この時、ロック手段６は、その付勢手段６ａの付勢力より、ロック片６ｂのラック部材１３に対する係止状態は後退動中の摺動体１２の突起部分１２ｃがロック片６ｂの傾斜状第１係合部３５を超えることにより（突起部分１２ｃがロック片６ｂを付勢手段の付勢力に抗して所定量押し下げることにより）解かれる。そして、所定の条件を満たすと、第１弾性体２１の復帰力により、ラック部材１３を矢印方向に起動させる。ラック部材１３を矢印方向に起動すると、ラック部１３ｃが位置変位するので、増速手段２４が作動する。そして、図９の（ｅ）は第１弾性体２１の蓄積された弾性エネルギーが全て解放し、発電が終了した位置を示すことを示す概念的な説明図である。
【００２７】
（５）本発明の主要部
したがって、本発明Ｘは、操作手段の操作力によって回転する押圧体１１から発電機２６の回転軸２６ａの回転数を増大させる大小の複数個の歯車２４ａ、２４ｂ、２４ｃを含む増速手段２４までの間に緩衝装置Ｙを備える扉用発電機Ｘであって、前記緩衝装置Ｙは、前記押圧体１１によってハウジング１の固定ガイド１５に案内されならが後退動する摺動体１２と、この摺動体の後退動に対応して圧縮する第１弾性体２１と、この第１弾性体の弾性力が作用するように前記摺動体１２に併設されたラック部材１３と、前記摺動体１２が所定位置へと後退するまで該ラック部材１３を係止する前記ハウジング１に設けられたロック手段６と、前記摺動体１２及びラック部材１３を初期位置へ戻す前記ハウジング１に設けられた第２弾性体２２を備え、前記摺動体１２が前記所定位置へと後退動するのに対応して前記第１弾性体２１が圧縮し、前記摺動体１２が後退動している最中に初期位置に残されている前記ラック部材１３は、前記摺動体１２を介して前記ロック手段６からのロックが解かれると同時に前記第１弾性体２１の弾性エネルギーが解放されることにより後退動を開始し、該ラック部材１３の起動により前記増速手段２４が作動することを特徴とする。
【実施例】
【００２８】
第１実施形態の第１弾性体２１及び第２弾性体２２は、共に圧縮コイルバネ（押しバネ）で、これらのバネ力は適宜に設定されている。また押圧体１１は、発電専用の操作手段１０によって回転するハンドルカムである。
【００２９】
また第１実施形態のロック手段６は、少なくともロック片６ｂと、該ロック片を突出方向へ付勢する付勢手段６ａとを有し、前記付勢手段６ａの付勢力より、前記ロック片６ｂが常にラック部材１３を係止し、該係止状態は後退動中の摺動体１２の突起部分１２ｃが前記ロック片６ｂを前記付勢手段６ａの付勢力に抗して所定量押し下げることにより解かれる。
【００３０】
しかし、例えば前記摺動体の突起部分１２ｃを磁性体にするとか、又は突起部分１２ｃを省いて、摺動体の底面に下向き凹所を形成し、該凹所に磁性板を固定的に嵌め込むとかすることにより、磁性体の極性（反発力）を加味することも可能である（この場合には、ロック片自体又は突出端部を磁性体にする）。
【００３１】
したがって、摺動体の突起部分１２ｃの外殻線は、Ｕ字形状、Ｖ字形状、半球体形状、弧状片形状等の任意の形状にすることができる。またロック手段６は後退動中の摺動体１２に起因してラック部材１３の係止状態を解く機能を発揮するものであれば、ロック片６ｂを揺動片に設計変更し、場合によっては磁性体の極性（反発力）を利用することにより、付勢手段６ａを省くことも可能である。それ故に、ロック手段６の構成やロック片自体の形状は、実施形態に限定されない。
【００３２】
次に、図１０及び図１１を参照にして、本発明の第２実施形態を説明する。なお、第２実施形態の説明に当って、第１実施形態と同一の部分には同一又は同様の符号を付して重複する説明を割愛する。
【００３３】
この第２実施形態が第１実施形態と主に異なる点は、仮想線で示す操作手段１０Ａである。第１実施形態の操作手段１０は発電専用であるが、第２実施形態の操作手段１０Ａが、例えばハウジング１の左垂直壁１ａから突出するラッチ部材４１の後退動を許容する「ラッチ後退動用」のハンドルである。実施形態では、周知のラッチボルト４１が摺動体１１の垂直部分１２の先端面に固定されている。図１０はハウジング１の左垂直壁１ａからラッチボルト４１が突出している初期状態、一方、図１１は図８と同様の概略説明図である。なお、前記ラッチ部材４１は、周知の反転ラッチでも良い。その他、発電機２６が交流の場合には双方向なので、一方向クラッチを設ける必要はないが、発電機２６が直流の場合には一方向クラッチを設ける必要がある。後者の場合には、例えば増速手段２４の最終段歯車２４ｃと発電機の回転軸２６ａとの間に一方向クラッチを設けるのが望ましい（例えば特開２００９−６２６７３号公報の図２、特開２００９−５４４０２号公報の図２など）。また発電機２６で発電した電気は、図示しないバッテリーに蓄積される。付言すると、例えば発電機２６が交流の場合には、図示しない整流器を介して蓄電器（例えば２次電池）に充電される。
【産業上の利用可能性】
【００３４】
本発明は、好ましくは建具の扉用発電機として利用することができる。
【符号の説明】
【００３５】
Ｘ…扉用発電機、
Ｙ…緩衝装置、
１…ハウジング、
５…支持孔、
６…ロック手段、
６ａ…ロック手段の付勢手段、６ｂ…ロック片、
１０，１０Ａ…操作手段、
１１…押圧体、１１ｃ…駆動腕、
１２…摺動体、１２ｃ…摺動体の突起部分、
１３…ラック部材、
１４…一つの駆動ピン、
１５…固定ガイド、
２１…第１弾性体、
２２…第２弾性体、
２３…支持棒、
２４…増速手段、
２５…支持箱、
２６…発電機、２６ａ…発電機の回転軸、
３１…略真円状嵌合孔、
３２…案内長孔。
【図１】
2016166474.tif 000003
【図２】
2016166474.tif 000004
【図３】
2016166474.tif 000005
【図４】
2016166474.tif 000006
【図５】
2016166474.tif 000007
【図６】
2016166474.tif 000008
【図７】
2016166474.tif 000009
【図８】
2016166474.tif 000010
【図９】
2016166474.tif 000011
【図１０】
2016166474.tif 000012
【図１１】
2016166474.tif 000013